(57)【要約】【課題】空気の搬送動力の無駄を削減できるように、デマンドに応じたデシカント空調システムを提供する。【解決手段】デマンドに応じた空調システム１は、処理側通路１０と、再生側通路１２と、処理側送風装置１３と、再生側送風装置１４と、デシカントロータ１５と、再生用空気ＯＡ’を加熱する加熱器１６と、空調空間２のＣＯ2濃度を検出するＣＯ2濃度センサ３と、デシカントロータ１５で除湿処理された処理空気ＳＡの湿度を検出する湿度センサ４と、を備え、処理側送風装置１３は、検出ＣＯ2濃度に基づいて送風量を調節し、加熱器１６は、検出湿度に基づいて加熱を制御し、再生側送風装置１４は、加熱が停止されているとき、検出湿度に基づいて送風量を調節する。【選択図】図１
2019158197.tif 000002
【特許請求の範囲】
【請求項１】
デマンドに応じたデシカント空調システムであって、
被処理空気を空調空間に供給する処理側通路と、
前記処理側通路と隔壁で仕切られた再生側通路と、
前記処理側通路に前記被処理空気を流す処理側送風装置と、
前記再生側通路に再生用空気を流す再生側送風装置と、
前記処理側通路と前記再生側通路とに跨がって回転し、前記処理側通路を流れる前記被処理空気を除湿処理すると共に、前記再生側通路を流れる前記再生用空気により再生されるデシカントロータと、
前記デシカントロータより上流側の前記再生用通路にて前記再生用空気を加熱する加熱器と、
前記空調空間のＣＯ2濃度を検出するＣＯ2濃度センサと、
前記デシカントロータで除湿処理された処理空気の湿度を検出する湿度センサと、を備え、
前記処理側送風装置は、前記ＣＯ2濃度センサで検出されたＣＯ2濃度に基づいて、前記被処理空気の送風量を調節するように構成され、
前記加熱器は、前記湿度センサで検出された湿度に基づいて、前記再生用空気の加熱を制御するように構成され、
前記再生側送風装置は、前記加熱器による加熱が停止されているとき、前記湿度センサで検出された湿度に基づいて、前記再生用空気の送風量を調節するように構成される
ことを特徴とするデシカント空調システム。
【請求項２】
前記処理側送風装置は、前記ＣＯ2濃度センサで検出されたＣＯ2濃度が低くなるにつれ、前記被処理空気の送風量を減少させるように構成され、
前記加熱器は、前記湿度センサで検出された湿度が閾値以下のとき、加熱を停止するように構成され、
前記再生側送風装置は、前記加熱器による加熱が行われているとき、前記再生用空気の送風量を一定値に調節し、前記加熱器による加熱が停止されているとき、前記湿度センサで検出された湿度が前記閾値から低下するにつれ、前記再生用空気の送風量を前記一定値から減少させるように構成される
請求項１記載のデシカント空調システム。
【発明の詳細な説明】
【技術分野】
【０００１】
本開示は、デマンドに応じたデシカント空調システムに関する。
【背景技術】
【０００２】
デシカント空調システムは、隔壁で仕切られた処理側通路及び再生側通路と、処理側通路と再生側通路とに跨がって回転するデシカントロータと、再生用空気を加熱するための加熱器（例えば、温水コイル）と、を備える。デシカントロータは、処理側通路を流れる被処理空気を除湿処理すると共に、再生側通路を流れる再生用空気により再生される。
【０００３】
また、処理側通路及び再生側通路には、送風装置（例えば、送風ファン）がそれぞれ設けられる。一般に、これらの送風装置は、デシカントロータで除湿処理及び再生を十分に行うため、設計条件（最大能力）による一定風量で空気を送風している。
【先行技術文献】
【特許文献】
【０００４】
【特許文献１】特開２０１３−２０４８２２号公報
【発明の概要】
【発明が解決しようとする課題】
【０００５】
しかし、上記のデシカント空調システムにおいては、成績係数（ＣＯＰ：Ｃｏｅｆｆｉｃｉｅｎｔ  ｏｆ  Ｐｅｒｆｏｒｍａｎｃｅ）が１以下と低いことが問題となる。その原因としては、デシカントロータによる除湿処理で発生する吸着熱の処理に必要な冷却エネルギーや、再生に必要な加熱エネルギーが過大である点が挙げられる。また、その他の原因として、例えば、処理側通路及び再生側通路を流れる空気の搬送動力に無駄が多い点が挙げられる。
【０００６】
本開示は、かかる事情に鑑みて創案され、その目的は、エネルギーの無駄を削減して省エネルギー化を図れるように、デマンドに応じたデシカント空調システムを提供することにある。
【課題を解決するための手段】
【０００７】
本開示に係るデシカント空調システムは、デマンドに応じたデシカント空調システムであって、被処理空気を空調空間に供給する処理側通路と、前記処理側通路と隔壁で仕切られた再生側通路と、前記処理側通路に前記被処理空気を流す処理側送風装置と、前記再生側通路に再生用空気を流す再生側送風装置と、前記処理側通路と前記再生側通路とに跨がって回転し、前記処理側通路を流れる前記被処理空気を除湿処理すると共に、前記再生側通路を流れる前記再生用空気により再生されるデシカントロータと、前記デシカントロータより上流側の前記再生用通路にて前記再生用空気を加熱する加熱器と、前記空調空間のＣＯ2濃度を検出するＣＯ2濃度センサと、前記デシカントロータで除湿処理された処理空気の湿度を検出する湿度センサと、を備え、前記処理側送風装置は、前記ＣＯ2濃度センサで検出されたＣＯ2濃度に基づいて、前記被処理空気の送風量を調節するように構成され、前記加熱器は、前記湿度センサで検出された湿度に基づいて、前記再生用空気の加熱を制御するように構成され、前記再生側送風装置は、前記加熱器による加熱が停止されているとき、前記湿度センサで検出された湿度に基づいて、前記再生用空気の送風量を調節するように構成されることを特徴とする。
【０００８】
また、前記処理側送風装置は、前記ＣＯ2濃度センサで検出されたＣＯ2濃度が低くなるにつれ、前記被処理空気の送風量を減少させるように構成され、前記加熱器は、前記湿度センサで検出された湿度が閾値以下のとき、加熱を停止するように構成され、前記再生側送風装置は、前記加熱器による加熱が行われているとき、前記再生用空気の送風量を一定値に調節し、前記加熱器による加熱が停止されているとき、前記湿度センサで検出された湿度が前記閾値から低下するにつれ、前記再生用空気の送風量を前記一定値から減少させるように構成されることを特徴とする。
【発明の効果】
【０００９】
本開示に係るデマンドに応じたデシカント空調システムによれば、エネルギーの無駄を削減して省エネルギー化を図ることができる。
【図面の簡単な説明】
【００１０】
【図１】デシカント空調システムの概略構成図である。
【図２】デシカント空調システムの制御の一例を示す図である。
【図３】一般的な事務所ビルにおけるエネルギー消費構成図の一例である。
【発明を実施するための形態】
【００１１】
以下、添付図面に基づいて、本開示の実施形態を説明する。
【００１２】
図１は、本実施形態に係るデシカント空調システム１の概略構成図である。なお、図中において、一点鎖線２で示す領域内は、オフィスビル等の空調空間としての室内を示す。また、矢印ＯＡ，ＯＡ’は、外気の流れを示し、矢印ＳＡは、給気の流れを示す。また、矢印ＲＡは、室内２から還流される還気の流れを示し、矢印ＥＡ，ＥＡ’ＥＡ”は、排気の流れを示す。
【００１３】
図１に示すように、空調システム１は、デマンドに応じたデシカント空調システム（デシカント空調機）である。デマンドの内容については後述する。
【００１４】
空調システム１は、被処理空気（外気ＯＡ）を空調空間２に供給する処理側通路１０と、処理側通路１０と第１隔壁１１で仕切られた再生側通路１２と、を備える。第１隔壁１１は、本開示の隔壁に該当する。
【００１５】
また、空調システム１は、処理側通路１０に被処理空気（外気ＯＡ）を流す処理側送風装置１３と、再生側通路１２に再生側空気（外気ＯＡ’）を流す再生側送風装置１４と、を備える。
【００１６】
また、空調システム１は、処理側通路１０と再生側通路１２とに跨がって回転し、処理側通路１０を流れる被処理空気（外気ＯＡ）を除湿処理すると共に、再生側通路１２を流れる再生用空気（外気ＯＡ’）により再生されるデシカントロータ１５を備える。
【００１７】
また、空調システム１は、デシカントロータ１５より上流側の再生用通路１２にて再生用空気（外気ＯＡ’）を加熱する温水コイル１６を備える。温水コイル１６は、本開示の加熱器に該当する。但し、加熱器は、任意の種類であって良く、例えば、電気ヒータであっても良い。
【００１８】
また、空調システム１は、室内２の二酸化炭素（ＣＯ2）濃度を検出するＣＯ2濃度センサ３と、デシカントロータ１５で除湿処理された処理空気（給気ＳＡ）の湿度を検出する湿度センサ４と、を備える。
【００１９】
また、本実施形態の空調システム１は、室内２から還流された還気ＲＡが流れる還気側通路１７を備える。
【００２０】
第１隔壁１１は、処理側通路１０の下流側の位置に形成される。一方、処理側通路１０の上流側の位置には第２隔壁１８が形成されており、第２隔壁１８によって処理側通路１０と還気側通路１７とが仕切られる。
【００２１】
処理側通路１０及び還気側通路１７には、これら通路１０，１７に跨がって回転し、処理側通路１０を流れる外気ＯＡと還気側通路１７を流れる還気ＲＡとの間で熱交換を行う全熱交換器１９が設けられる。なお、符号２０ａ，２０ｂは、空気の風量を調整するためのダンパ（例えば、モータダンパ）である。また、符号２１ａ，２１ｂは、空気中の異物（例えば、ダスト）を捕集するためのフィルタである。更に、符号５は、暖房運転する際の加湿器である。
【００２２】
処理側通路１０には、上流側から順に、フィルタ２１ａ、全熱交換器１９、ダンパ２０ａ、処理側送風装置１３、予冷コイル２２、デシカントロータ１５、再冷コイル２３、加湿器５、及び、湿度センサ４が配設される。なお、処理側送風装置１３は、処理側通路１０における任意の位置に配設されて良く、また、処理側通路１０よりも上流または下流の位置に設けられていても良い。但し、デシカントロータ１５通過後の処理側通路１１ａの静圧が、デシカントロータ１５通過前の再生側通路１２ａの静圧よりも低くならないこととする。
【００２３】
図示しないが、予冷コイル２２及び再冷コイル２３は、それぞれヒートポンプから供給される冷水（約２０℃）を循環させて外気ＯＡを冷却し、再びヒートポンプに戻すように構成される。
【００２４】
より詳しくは、予冷コイル２２は、温水コイル１６の最大能力運転時に湿度センサ４で検出される湿度が設定湿度に達しないときに、ヒートポンプからの冷水の流量を調整することで、処理空気（給気ＳＡ）の湿度を制御できるように構成される。また、再冷コイル２３は、ヒートポンプからの冷水の流量を調整することで、処理空気（給気ＳＡ）の温度を可変させるように構成される。
【００２５】
処理側通路１０の入口には、外気ＯＡを導入するための処理用入口ダクト２４が接続される。また、処理側通路１０の出口には、室内２に給気ＳＡを供給するための給気ダクト２５が接続される。
【００２６】
再生側通路１２には、上流側から順に、フィルタ２１ｂ、温水コイル１６、デシカントロータ１５、及び、再生側送風装置１４が配設される。なお、再生側送風装置１４は、再生側通路１２における任意の位置に配設されて良く、また、再生側通路１２よりも上流または下流の位置に設けられていても良い。但し、デシカントロータ１５通過後の処理側通路１１ａの静圧が、デシカントロータ１５通過前の再生側通路１２ａの静圧よりも低くならないこととする。
【００２７】
再生側通路１２の入口には、外気ＯＡ’を導入するための再生用入口ダクト２６の出口が接続される。また、再生側通路１２の出口には、デシカントロータ１５の再生に使用した再生用空気（排気ＥＡ’）を排出するための再生用出口ダクト２７が接続される。
【００２８】
再生用入口ダクト２６の入口には、空気式太陽熱集熱器２８が接続される。図示しないが、空気式太陽熱集熱器２８は、黒色のアルミ板等の表面に多数の小孔を穿設して形成され、外気ＯＡ’を小孔から内部に取り込んで昇温できるように構成されていても良い。
【００２９】
還気側通路１７には、上流側から順に、全熱交換器１９、還気側ファン２９、及び、ダンパ２０ｂが配設される。
【００３０】
還気側通路１７の入口には、室内２から還気ＲＡを導入するための還気ダクト３０が接続される。また、還気側通路１７の出口には、全熱交換器１９の熱回収に使用した空気（排気ＥＡ”）を排出するための還気用出口ダクト３１が接続される。
【００３１】
他方、室内２には、給気ダクト２５及び還気ダクト３０の他に、室内２からの排気ＥＡを排出するための排気ダクト３２が接続される。
【００３２】
デシカントロータ１５は、シリカゲル等の除湿剤が添着されて構成され、その回転によって、被処理空気（外気ＯＡ）に含まれる水分の吸着除湿と、再生用空気（外気ＯＡ’）による脱着再生とを連続して行えるようになっている。図示しないが、デシカントロータ１５は、電動モータによって一定の速度で回転される。
【００３３】
本実施形態においては、処理側通路１０に導入される外気ＯＡの湿度が高いほど、また、処理側通路１０を流れる外気ＯＡの送風量が多いほど、デシカントロータ１５に吸着される水分の量が多くなる。そして、デシカントロータ１５に吸着された水分量が多いときは、加熱した再生用空気によって十分に再生される必要があるが、その水分量が少ないときは、加熱されない再生用空気によって再生可能である。
【００３４】
ＣＯ2濃度センサ３は、還気ダクト３０に配設され、還気ＲＡのＣＯ2濃度から室内２のＣＯ2濃度を検出できるように構成される。但し、ＣＯ2濃度センサ３は、例えば、室内２に設置されていても良い。
【００３５】
ＣＯ2濃度センサ３で検出されるＣＯ2濃度（以下、検出ＣＯ2濃度Ｃ）は、室内２の人員密度Ｍによって変化する。そして、人員密度Ｍが高いほど、室内２の湿度も高くなる。
【００３６】
室内２を快適な湿度に保つためには、人員密度Ｍすなわち検出ＣＯ2濃度Ｃが高いほど、除湿処理された処理空気（給気ＳＡ）を室内２に多く供給する必要がある。反対に、検出ＣＯ2濃度Ｃが低いほど、室内２に供給される給気ＳＡの量を少なくして良い。よって、検出ＣＯ2濃度Ｃは、本開示のデマンドを構成する。
【００３７】
湿度センサ４は、処理側通路１０の出口に設けられ、デシカントロータ１５で除湿処理された給気ＳＡの湿度（絶対湿度）を検出できるように構成される。
【００３８】
本実施形態においては、デシカントロータ１５の水分量が多いほど、湿度センサ４で検出される湿度（以下、検出湿度Ｆ）が高くなる。そのため、検出湿度Ｆが高いほど、デシカントロータ１５を十分に再生する必要があり、反対に、検出湿度Ｆが低いほど、再生の必要性が少なくなる。よって、検出湿度Ｆは、本開示のデマンドを構成する。
【００３９】
処理側送風装置１３は、検出ＣＯ2濃度Ｃに基づいて、被処理空気（外気ＯＡ）の送風量ＱA1を調節するように構成される。
【００４０】
より詳しくは、処理側送風装置１３は、検出ＣＯ2濃度Ｃが低くなるにつれ、被処理空気（外気ＯＡ）の送風量ＱA1を減少させるように構成される。また、処理側送風装置１３は、検出ＣＯ2濃度Ｃが高くなるにつれ、被処理空気（外気ＯＡ）の送風量ＱA1を増加させるように構成される。
【００４１】
具体的には、処理側送風装置１３は、処理側通路１０の上流側から下流側に向けて送風する処理側ファン１３ａと、処理側ファン１３ａの出力を調整するための処理側インバータ１３ｂと、を備える。また、処理側送風装置１３は、処理側インバータ１３ｂによる出力調整を制御する処理側制御装置１３ｃを備える。
【００４２】
処理側ファン１３ａによって送風される外気ＯＡは、デシカントロータ１５によって除湿処理された後、給気ＳＡとして室内２に供給される。
【００４３】
処理側インバータ１３ｂは、その周波数に応じて処理側ファン１３ａの出力を調整できるように構成される。
【００４４】
処理側制御装置１３ｃは、ＣＰＵ、ＲＯＭ、ＲＡＭ、入出力ポート等を備え、処理側インバータ１３ｂ及びＣＯ2濃度センサ３に電気的に接続される。
【００４５】
また、処理側制御装置１３ｃは、ＣＯ2濃度センサ３から検出ＣＯ2濃度Ｃを取得すると共に、検出ＣＯ2濃度Ｃに応じた所定の処理側ファン１３ａの出力になるように、処理側インバータ１３ｂの周波数を可変させる。
【００４６】
処理側ファン１３ａの出力は、検出ＣＯ2濃度Ｃが高いほど大きくなり、検出ＣＯ2濃度Ｃが低いほど小さくなるように、予め規定されている。
【００４７】
温水コイル１６は、検出湿度Ｆに基づいて、再生用空気（外気ＯＡ’）の加熱を制御するように構成される。また、温水コイル１６は、検出湿度Ｆが閾値ＦT以下のとき、加熱を停止するように構成される。
【００４８】
具体的には、温水コイル１６は、ヒートポンプにより生成される温水の貯水槽または温水ヘッダー（不図示）から延びる供給側温水管１６ａ及び戻り側温水管１６ｂと、供給側温水管１６ａに接続された流量調整弁１６ｃと、流量調整弁１６ｃの開度を制御する弁制御装置１６ｄと、を備える。なお、流量調整弁１６ｃは、戻り側温水管１６ｂに接続されていても良い。
【００４９】
本実施形態の温水コイル１６は、ヒートポンプから供給される温水（約５５℃）を循環させて外気ＯＡ’を加熱し、再びヒートポンプに戻すように構成される。また、温水コイル１６は、温水の流量ＱWが調整されることで、再生用空気（外気ＯＡ’）の温度を可変させるように構成される。
【００５０】
より詳しくは、流量調整弁１６ｃは、温水の流量ＱWを調整可能な電動式の三方弁等で構成され、弁制御装置１６ｄに電気的に接続される。
【００５１】
弁制御装置１６ｄは、ＣＰＵ、ＲＯＭ、ＲＡＭ、入出力ポート等を備え、湿度センサ４に電気的に接続される。また、弁制御装置１６ｄは、湿度センサ４から検出湿度Ｆを取得すると共に、温水コイル１６を流れる温水の流量ＱWが検出湿度Ｆに応じた所定流量ＱWTになるように、流量調整弁１６ｃの開度を制御する。
【００５２】
この所定流量ＱWTは、検出湿度Ｆが高いほど多くなり、検出湿度Ｆが低いほど少なくなるように、予め規定されている。また、検出湿度Ｆが予め設定された閾値ＦT以下のときは、所定流量ＱWTがゼロ（ＱWT＝０）に規定されている。閾値ＦTは、デシカントロータ１５の水分量が少なく、再生用空気を加熱する必要がないときの湿度に設定される。
【００５３】
温水コイル１６による加熱は、温水の流量ＱWがゼロ（ＱW＝０）になることで停止される。
【００５４】
再生側送風装置１４は、温水コイル１６による加熱が停止されているとき、検出湿度Ｆに基づいて、再生用空気（外気ＯＡ’）の送風量ＱA2を調節するように構成される。
【００５５】
より詳しくは、再生側送風装置１４は、温水コイル１６による加熱が行われているとき、再生用空気（外気ＯＡ’）の送風量ＱA2を一定値ＱA2MAXに調節する（ＱA2＝ＱA2MAX）。本実施形態における一定値ＱA2MAXは、後述する再生側ファン１４ａの設計条件（最大能力）の出力に相当する。
【００５６】
また、再生側送風装置１４は、温水コイル１６による加熱が停止されているとき、検出湿度Ｆが閾値ＦTから低下するにつれ、再生用空気（外気ＯＡ’）の送風量ＱA2を一定値ＱA2MAXから減少させる。また、再生側送風装置１４は、低下された検出湿度Ｆが上昇するにつれ、減少させた送風量ＱA2を一定値ＱA2MAXまで増加させる。
【００５７】
具体的には、再生側送風装置１４は、再生側通路１２の上流側から下流側に向けて送風する再生側ファン１４ａと、再生側ファン１４ａの出力を調整するための再生側インバータ１４ｂと、を備える。また、再生側送風装置１４は、再生側インバータ１４ｂによる出力調整を制御する再生側制御装置１４ｃを備える。
【００５８】
再生側ファン１４ａによって送風された外気ＯＡ’は、デシカントロータ１５の再生に使用された後、排気ＥＡ’として排出される。
【００５９】
再生側インバータ１４ｂは、その周波数に応じて再生側ファン１４ａの出力を調整できるように構成される。
【００６０】
再生側制御装置１４ｃは、ＣＰＵ、ＲＯＭ、ＲＡＭ、入出力ポート等を備え、再生側インバータ１４ｂ、湿度センサ４、及び温水コイル１６の弁制御装置１６ｄに電気的に接続される。
【００６１】
また、再生側制御装置１４ｃは、温水コイル１６による加熱が行われているとき、再生側ファン１４ａの出力が設計条件（最大能力）になるように、再生側インバータ１４ｂの周波数を調整する。
【００６２】
また、再生側制御装置１４ｃは、温水コイル１６による加熱が停止されているとき、湿度センサ４から検出湿度Ｆを取得すると共に、検出湿度Ｆに応じた所定の再生側ファン１４ａの出力になるように、再生側インバータ１４ｂの周波数を可変させる。なお、加熱が停止されているときの再生側ファン１４ａの出力は、検出湿度Ｆが高いほど大きくなり、検出湿度Ｆが低いほど小さくなるように、予め規定されている。
【００６３】
次に、本実施形態に係る空調システム１の作用効果について、図１〜図３に基づいて説明する。
【００６４】
図２は、空調システム１の制御の一例を示すタイムチャートである。図２中、（ａ）は室内２の人員密度Ｍ（％）、（ｂ）は検出ＣＯ2濃度Ｃ（ｐｐｍ）、（ｃ）は被処理空気の送風量ＱA1（ｍ3／ｈ）、（ｄ）は検出湿度Ｆ（ｋｇ／ｋｇ（ＤＡ））、（ｅ）は温水コイル１６の流量ＱW（ｌ／ｍｉｎ）、（ｆ）は再生用空気の送風量ＱA2（ｍ3／ｈ）を表す。なお、本実施形態の人員密度Ｍは、例えば、室内２の在室者４人で１００％になる条件に設定されているものとする。
【００６５】
図２中、（ａ）示すように、室内２の人員密度Ｍは、時刻ｔ0で１００％（在室者４人）であり、時刻ｔ1で７５％（在室者３人）になり、時刻ｔ2で５０％（在室者２人）になり、時刻ｔ3で２５％（在室者１人）になる。また、（ａ）及び（ｂ）に示すように、人員密度Ｍが減少していくにつれ、検出ＣＯ2濃度Ｃも低下していく。
【００６６】
（ｂ）及び（ｃ）示すように、検出ＣＯ2濃度Ｃが低下するにつれ、被処理空気（外気ＯＡ）の送風量ＱA1が減少される。すなわち、本実施形態においては、検出ＣＯ2濃度Ｃの低下に伴って、処理側ファン１３ａの出力を減少できる。
【００６７】
（ｄ）に示すように、検出湿度Ｆは、例えば外の環境の変化により、処理側通路１０に導入される外気ＯＡの湿度が変化することで変動する。また、検出湿度Ｆは、（ｃ）に示した送風量ＱA1の減少に伴って、全体的に減少している。
【００６８】
（ｄ）及び（ｅ）に示すように、温水コイル１６の流量ＱWは、検出湿度Ｆに応じて制御される。すなわち、本実施形態においては、外気ＯＡの湿度及び送風量ＱA1によって変動されるデシカントロータ１５の水分量に応じて、温水コイル１６の流量ＱWを制御できる。
【００６９】
また、斜線部Ｘ及び点線Ｙで示すように、温水コイル１６の流量ＱWは、検出湿度Ｆが閾値ＦT以下のときにゼロになる。すなわち、本実施形態においては、例えば外気ＯＡの送風量ＱA1が少なく、デシカントロータ１５の水分量が少ないことで、加熱した再生用空気により再生する必要がないとき、温水コイル１６による加熱を停止できる。
【００７０】
（ｄ）〜（ｆ）に示すように、検出湿度Ｆが閾値ＦTを上回り、温水コイル１６による加熱が行われているとき、再生用空気の送風量ＱA2は、一定値ＱA2MAXすなわち再生側ファン１４ａの設計条件（最大能力）に調節される。また、検出湿度Ｆが閾値ＦT以下になり、温水コイル１６による加熱が停止されると、検出湿度Ｆが閾値ＦTから低下するにつれ、再生用空気の送風量ＱA2が一定値ＱA2MAXから減少される。
【００７１】
すなわち、本実施形態においては、例えば被処理空気の送風量ＱA1が多く、デシカントロータ１５の水分量が多いことで、加熱した再生用空気によりデシカントロータ１５を十分に再生する必要があるときは、再生側ファン１４ａの出力を最大にする。これにより、加熱された再生用空気によってデシカントロータ１５の再生が十分に行われる。
【００７２】
一方、例えば被処理空気の送風量ＱA1が多く、デシカントロータ１５の水分量が少ないことで、再生用空気を加熱する必要がないときは、温水コイル１６による加熱を停止すると共に、検出湿度Ｆに応じて再生側ファン１４ａの出力を制御する。
【００７３】
ここで、図３は、一般的な事務所ビルにおけるエネルギー消費構成図の一例である。
【００７４】
図３に示すように、エネルギー消費の内、ファン等による空気の搬送動力が約３割を占めている。そのような中、従来のデシカント空調システムにおいても、デシカントロータで除湿処理及び再生を十分に行うため、常に一定風量（最大能力）で空気を送風しており、空気の搬送動力に無駄が多い。このような搬送動力の無駄は、空調システムの成績係数（ＣＯＰ：Ｃｏｅｆｆｉｃｉｅｎｔ  ｏｆ  Ｐｅｒｆｏｒｍａｎｃｅ）を悪化させる原因となる。
【００７５】
これに対して、本実施形態では、先ず、処理側通路１０において、検出ＣＯ2濃度Ｃに応じて処理側ファン１３ａの出力を調整する。これにより、処理側ファン１３ａの出力を、被処理空気の除湿が必要な分だけの出力に抑えることが可能になる。
【００７６】
また、再生側通路１２において、再生用空気を加熱する必要がなく、温水コイル１６による加熱を停止させたときは、再生側ファン１４ａの出力を設計条件から減少させ、検出湿度Ｆに応じて調整する。これにより、再生側ファン１４ａの出力を、デシカントロータ１５の再生に必要な分だけの出力に抑えることが可能になる。
【００７７】
特に、デシカントロータ１５が水分を殆ど吸着しておらず、再生する必要がないときは、そのときの検出湿度Ｆに応じて、再生側ファン１４ａの出力を再生用空気の搬送に必要な最低限の出力に抑えることできる。
【００７８】
このように、本実施形態によれば、検出ＣＯ2濃度Ｃ及び検出湿度Ｆというデマンドに応じて、被処理空気及び再生用空気の搬送動力の無駄を削減できる。
【００７９】
より具体的には、図２に示した制御例では、処理側ファン１３ａ及び再生側ファン１４ａの搬送動力を例えば下記の表１ように削減できる。
【００８０】
【表１】
2019158197.tif 000003
【００８１】
すなわち、この制御例では、搬送動力を、例えば、人員密度Ｍが１００％（在室者４人）のときは２２．５％、人員密度Ｍが７５％（在室者３人）のときは２８．０％、人員密度Ｍが５０％（在室者２人）のときは３９．７％、人員密度Ｍが２５％（在室者１人）のときは４８．６％削減することができる。
【００８２】
また、本実施形態においては、処理側通路１０における送風量ＱA1を制御して、デシカントロータ１５に吸着される水分の量を抑制できるため、デシカントロータ１５で発生する吸着熱を抑えることが可能になる。これにより、予冷コイル２２及び再冷コイル２３における冷却エネルギーを低減することができる。
【００８３】
また、本実施形態においては、デシカントロータ１５の水分量を抑えることで、温水コイル１６において、再生に必要な加熱エネルギーを低減することができる。
【００８４】
以上の通り、本実施形態によれば、エネルギーの無駄を削減して省エネルギー化を図ることが可能になる。
【００８５】
更に、本実施形態においては、ヒートポンプにより生成される約２０℃の高温冷水を用いて、予冷コイル２２及び再冷コイル２３を冷却する。そのため、例えば冷凍機で約７℃に冷却された低温冷水を用いて空調する一般的な空調システムに比べて、更なる省エネルギー化を図ることができる。
【００８６】
他方、上述した基本実施形態は、以下のように変形することができる。
【００８７】
（変形例）
基本実施形態における送風量の制御は、処理側ファン１３ａ及び再生側ファン１４ａ以外のファンに適用されても良い。
【００８８】
例えば、図示しないが、還気側通路１７に設けられた還気側ファン２９は、処理側ファン１３ａと同様に、検出ＣＯ2濃度Ｃに基づいて、還気側インバータ及び還気側制御装置によって出力が制御されても良い。
【００８９】
本変形例によれば、還気側ファン２９を処理側ファン１３ａと同じように出力制御することで、還気側通路１７における還気ＲＡの搬送動力の無駄をも削減できる。
【００９０】
なお、本開示は、上述の実施形態に限定されるものではなく、本開示の趣旨を逸脱しない範囲で、適宜変更して実施することが可能である。
【符号の説明】
【００９１】
１  空調システム
２  室内
３  ＣＯ2濃度センサ
４  湿度センサ
５  加湿器
１０  処理側通路
１１  第１隔壁（隔壁）
１１ａ  デシカントロータ通過後の処理側通路
１２  再生側通路
１２ａ  デシカントロータ通過前の再生側通路
１３  処理側送風装置
１３ａ  処理側ファン
１３ｂ  処理側インバータ
１３ｃ  処理側制御装置
１４  再生側送風装置
１４ａ  再生側ファン
１４ｂ  再生側インバータ
１４ｃ  再生側制御装置
１５  デシカントロータ
１６  温水コイル（加熱器）
１６ａ  供給側温水管
１６ｂ  戻り側温水管
１６ｃ  流量調整弁
１６ｄ  弁制御装置
１７  還気側通路
１８  第２隔壁
１９  全熱交換器
２０ａ，２０ｂ  ダンパ
２１ａ，２１ｂ  フィルタ
２２  予冷コイル
２３  再冷コイル
２４  処理用入口ダクト
２５  給気ダクト
２６  再生用入口ダクト
２７  再生用出口ダクト
２８  空気式太陽熱集熱器
２９  還気側ファン
３０  還気ダクト
３１  還気用出口ダクト
３２  排気ダクト
ＳＡ  給気（処理空気）
ＯＡ  外気（被処理空気）
ＯＡ’  外気（再生用空気）
ＲＡ  還気
ＥＡ，ＥＡ’，ＥＡ”  排気
【図１】
2019158197.tif 000004
【図２】
2019158197.tif 000005
【図３】
2019158197.tif 000006